(57)【要約】      （修正有）【課題】多彩な触覚を提示可能な触覚提示装置等を提供する。【解決手段】触覚提示装置は、伸縮性を有する弾性体からなり、触覚を提示する提示面を有する触覚提示手段１０と、提示する触覚に応じて触覚提示手段に張力を付与し、提示面を伸縮させる張力付与手段と、を備える。触覚提示手段は、複数の弾性体を備え、複数の弾性体により形成された提示面を、張力付与手段が提示する触覚に応じて複数の弾性体の中から選択的に張力を付与することにより、より多彩な触覚を提示することができる。【選択図】図１
2020009363.tif 000002
【特許請求の範囲】
【請求項１】
伸縮性を有する弾性体からなり、触覚を提示する提示面を有する触覚提示手段と、
提示する触覚に応じて前記触覚提示手段に張力を付与し、前記提示面を伸縮させる張力付与手段と、を備える触覚提示装置。
【請求項２】
前記触覚提示手段は、複数の弾性体を備え、
前記複数の弾性体により形成された前記提示面を、前記張力付与手段が提示する触覚に応じて前記複数の弾性体の中から選択的に張力を付与する請求項１に記載の触覚提示装置。
【請求項３】
前記複数の弾性体は、弾性率が異なる請求項２に記載の触覚提示装置。
【請求項４】
伸縮性を有する弾性体に、触覚を提示する提示面を設け、
前記提示面を伸縮させて触覚を提示する触覚提示方法。
【請求項５】
前記提示面を複数の弾性体により形成し、前記複数の弾性体の中から選択的に張力を付与して触覚を提示する請求項４に記載の触覚提示方法。
【請求項６】
前記複数の弾性体の弾性率を異ならせる請求項４に記載の触覚提示方法。
【発明の詳細な説明】
【技術分野】
【０００１】
本発明は、触覚提示装置及び触覚提示方法に関する。
【背景技術】
【０００２】
従来、電極をマトリックス状に複数配置し、電気刺激により触覚を提示するものが知られている。
【先行技術文献】
【特許文献】
【０００３】
【特許文献１】特開２００２−３２８５９６号公報
【発明の概要】
【発明が解決しようとする課題】
【０００４】
しかしながら、このような電極による触覚の提示は、電極を有限の間隔で離散的にしか配置できないため、提示できる触覚も段階的なものとなってしまうという問題がある。
本発明は、上記問題点を解決すべく、連続的な触覚の提示が可能な触覚提示装置及び触覚提示方法を提供することを目的とする。
【課題を解決するための手段】
【０００５】
上記課題を解決するための触覚提示装置の構成として、伸縮性を有する弾性体からなり、触覚を提示する提示面を有する触覚提示手段と、提示する触覚に応じて前記触覚提示手段に張力を付与し、前記提示面を伸縮させる張力付与手段と、を備える構成とした。
本構成によれば、提示面が連続的に伸縮変形するため、連続的に触覚を提示することができる。
また、触覚提示装置の他の構成として、前記触覚提示手段は、複数の弾性体を備え、前記複数の弾性体により形成された前記提示面を、前記張力付与手段が提示する触覚に応じて前記複数の弾性体の中から選択的に張力を付与することにより、より多彩な触覚を提示することができる。
また、触覚提示装置の他の構成として、前記複数の弾性体は、弾性率が異なる構成としたことにより、さらに多彩な触覚を提示することができる。
また、上記課題を解決するための触覚提示方法の形態として、伸縮性を有する弾性体に、人の皮膚を接触させて触覚を提示する提示面を設け、前記提示面を伸縮させて触覚を提示するようにした。
本形態によれば、提示面が連続的に伸縮変形するため、連続的に触覚を提示することができる。
また、触覚提示方法の他の形態として、前記提示面を複数の弾性体により形成し、前記複数の弾性体の中から選択的に張力を付与して触覚を提示することにより、より多彩な触覚を提示することができる。
また、触覚提示方法の他の形態として、前記複数の弾性体の弾性率を異ならせることにより、さらに多彩な触覚を提示することができる。
【図面の簡単な説明】
【０００６】
【図１】触覚提示装置の構成図である。
【図２】触覚提示手段の他の形態を示す図である。
【図３】触覚提示手段の他の形態を示す図である。
【図４】触覚提示手段の他の形態を示す図である。
【図５】触覚提示装置の他の形態の構成図である。
【図６】触覚提示手段の他の形態を示す図である。
【図７】触覚提示手段の他の形態を示す図である。
【０００７】
以下、発明の実施形態を通じて本発明を詳説するが、以下の実施形態は特許請求の範囲に係る発明を限定するものではなく、また実施形態の中で説明される特徴の組み合わせのすべてが発明の解決手段に必須であるとは限らず、選択的に採用される構成を含むものである。
【発明を実施するための形態】
【０００８】
実施形態１
図１は、本実施形態に係る触覚提示方法を実施する触覚提示装置の一実施形態を示す図である。
図１に示すように、触覚提示装置１は、触覚提示手段１０と、駆動制御手段１１とを備える。
触覚提示手段１０は、人が手のひらで握ることにより、手のひらに触覚を提示する装置である。触覚提示手段１０は、円筒部１２と、円筒部の両端を閉塞する端部壁１３；１３と、円筒部１２及び端部壁１３；１３に囲まれる中空部１４とを備える。円筒部１２及び端部壁１３；１３は、伸縮性を有する弾性素材で構成される。本実施形態では、円筒部１２及び端部壁１３；１３は、同一の弾性率を有する素材で構成される。中空部１４は、駆動制御手段１１と接続され、駆動制御手段１１から中空部１４に空気を供給することで、図１（ｂ）に示すように円筒部１２が膨張し、また、空気を排出することで、図１（ａ）に示すように円筒部１２が収縮するように構成される。
【０００９】
駆動制御手段１１は、給排制御部１１Ａと、触覚制御部１１Ｂとを備える。給排制御部１１Ａは、中空部１４に空気を供給、中空部１４から空気を排出可能に構成される。給排制御部１１Ａは、チューブ１５を介して中空部１４と接続される。触覚制御部１１Ｂは、触覚提示手段１０を介して人に提示する触覚に応じて給排制御部１１Ａによる空気の供給や排出動作を制御する。
つまり、駆動制御装置は、円筒部１２に張力を付与する張力付与手段として機能する。
【００１０】
そして、図１（ａ）に示すように、触覚提示手段１０の円筒部１２を手のひらで握った状態で、中空部１４に空気を供給することにより、円筒部１２が膨張して人に対して握った手を押し広げようとする感覚と、円筒部１２の膨張により伸長する円筒部１２の表面に接触した皮膚が伸張する感覚とを提示することができる。
また、膨張した状態から中空部１４から空気を排出することにより、円筒部１２が収縮して人に対して広げた手を握りしめるようにする感覚と、円筒部１２の収縮により収縮する円筒部１２の表面に接触する皮膚が収縮する感覚とを提示することができる。つまり、円筒部１２の表面が触覚の提示面として機能する。
【００１１】
このように、触覚提示手段１０を伸縮性を有する弾性体により構成し、弾性体の表面に人の皮膚を接触させて円筒部１２を膨張させたり収縮させたりすることにより、連続的な触覚を提示することができる。即ち、円筒部１２を、例えば、少ない膨張状態から大きく膨張させたり、少ない収縮状態から大きく収縮させたり、膨張状態から収縮させたり、或いは、収縮状態から膨張させたりすることにより、皮膚の接触する円筒部１２の表面が連続的に、伸長、収縮、伸長から収縮、収縮から伸長するため、触覚を連続的（滑らか）に、提示することができる。また、触覚を面によって提示することができるため、触覚提示手段１０の膨張や収縮等の一つの動作において複数の触覚を同時に提示することができる。これにより、例えば、手の感覚がマヒした人の触覚のリハビリにおいて、単なる手の開閉運動をによるものと異なり、皮膚への刺激が大きくなるため、よりリハビリ効果を大きくすることができる。
【００１２】
実施形態２
図２は、触覚提示手段１０の他の形態を示す図である。図２に示す触覚提示手段１０は、人が指先で触れることにより、指先に触覚を提示する。同図に示す触覚提示手段１０は、弾性率が一様な伸縮する弾性体、例えばゴム片１８により構成され、指先を接触させて触覚を提示する提示面１０ａを備える。ゴム片１８の端部には、該ゴム片１８に張力を付与、開放する図外の張力付与手段が接続され、図中矢印Ｘで示す方向に外力Ｐを加える。この外力Ｐによりゴム片１８が伸縮する。
【００１３】
そして、矢印Ｘに示す方向に沿って指先を提示面１０ａに接触させた状態で、矢印Ｘの＋方向にゴム片１８を伸張させることにより、触覚提示手段１０の提示面１０ａに接触する指先の皮膚が矢印Ｘの＋方向に引き伸ばされるため、指先に矢印Ｘの＋方向に移動する触覚を提示することができる。また、矢印Ｘの−方向にゴム片１８を伸張させることにより、触覚提示手段１０の提示面１０ａに接触する指先の皮膚が矢印Ｘの−方向に引き伸ばされるため、指先に矢印Ｘの−方向に移動する触覚を提示することができる。
このように触覚提示手段１０を構成し、提示面１０ａに指先を接触させて触覚提示手段１０の伸縮を制御することにより、連続的に伸縮する提示面１０ａから指先に対して連続的な刺激を与えることができるため、例えば、上述のような指先が移動する触覚を滑らかに提示することができる。
【００１４】
実施形態３
図３は、指先に触覚を提示する場合の触覚提示手段１０の他の形態を示す図である。図３（ａ）に示す触覚提示手段１０は、弾性率の同じゴム片１８Ａ〜１８Ｄを指の幅方向に層状に配置し、独立して指の延長方向に伸縮可能に構成したものである。つまり、触覚提示手段１０には、ゴム片１８Ａ〜１８Ｄにより指先を接触させる提示面１０ａが形成される。各ゴム片１８Ａ〜１８Ｄの端部には、独立して各ゴム片１８Ａ〜１８Ｄに張力を付与、開放する図外の張力付与手段が接続され、図中矢印Ｘで示す方向に外力Ｐを加える。この外力Ｐによりゴム片１８Ａ〜１８Ｄが伸縮する。
【００１５】
そして、図３（ｂ）に示すように、矢印Ｘに示す方向に沿うように指を向け、指先を提示面１０ａに接触させた状態で、例えば、矢印Ｘの＋方向にゴム片１８Ａ；１８Ｃを伸張させることにより、ゴム片１８Ａ；１８Ｃに接触する指先の皮膚が矢印Ｘの＋方向に引き伸ばされるため、指先のゴム片１８Ａ；１８Ｃが接触する部分だけ矢印Ｘの＋方向に移動する触覚を提示することができる。また、矢印Ｘの−方向にゴム片１８Ａ；１８Ｃを伸張させることにより、ゴム片１８Ａ；１８Ｃに接触する指先の皮膚が矢印Ｘの−方向に引き伸ばされるため、指先のゴム片１８Ａ；１８Ｃが接触する部分だけ矢印Ｘの−方向に移動する触覚を提示することができる。
【００１６】
実施形態４
図４は、指先に触覚を提示する場合の触覚提示手段１０の他の形態を示す図である。図３では、弾性率の同じ異なるゴム片１８Ａ；１８Ｂ；１８Ｃ；１８Ｄを指の幅方向に層状に配置したが、ゴム片に限定されない。例えば、図４（ａ）、（ｂ）の拡大図に示すような編み込みスリーブ１９Ａ〜１９Ｄを指の幅方向に層状に配置し、各スリーブ１９Ａ〜１９Ｄを独立して指の延長方向に伸縮可能に構成してもよい。スリーブ１９Ａ〜１９Ｄの端部には、該スリーブ１９Ａ〜１９Ｄに個別に張力を付与、開放する図外の張力付与手段が接続され、図中矢印Ｘで示す方向に外力Ｐを加える。この張力付与手段による外力Ｐにより、スリーブ１９Ａ〜１９Ｄは、図４（ｂ）の拡大図に示すように、外力Ｐを加えた方向に伸張し、外力Ｐと直交する方向には収縮する。そして、外力Ｐを除くことで、図４（ａ）の拡大図に示すように外力Ｐを加える前の状態に戻る復元性（弾性）を有する弾性体として機能する素材である。
【００１７】
そして、図４（ｂ）に示すように、矢印Ｘに示す方向に沿うように指を向け、指先を提示面１０ａに接触させた状態で、例えば、矢印Ｘの＋方向にスリーブ１９Ａ；１９Ｃを伸張させることにより、ゴム片１８Ａ；１８Ｃに接触する指先の皮膚が矢印Ｘの＋方向に引き伸ばされつつ矢印Ｘと直交する方向（指先の幅方向）に狭められるため、指先のスリーブ１９Ａ；１９Ｃに接触する部分だけ矢印Ｘの＋方向に移動しつつ挟まれる触覚を提示することができる。また、矢印Ｘの−方向にスリーブ１９Ａ；１９Ｃを伸張させることにより、スリーブ１９Ａ；１９Ｃに接触する指先の皮膚が矢印Ｘの−方向に引き伸ばされつつ矢印Ｘと直交する方向に狭められるため、指先のスリーブ１９Ａ；１９Ｃが接触する部分だけ矢印Ｘの−方向に移動しつつ挟まれる触覚を提示することができる。
【００１８】
実施形態５
図５は、本実施形態に係る触覚提示方法を実施するための触覚提示装置１の概略構成図である。図５に示すように、触覚提示装置１は、触覚提示手段１０と、弾性力制御手段３０と、張力付与手段４０と、触覚制御手段５０とを備える。
上記実施形態３，４では、指先の幅方向に複数の弾性体を配置し、指先の幅方向に異なる触覚を提示するように触覚提示手段１０を構成したが、例えば、図５に示すように構成することにより指先により詳細な触覚を提示することができる。
【００１９】
本実施形態に係る触覚提示手段１０は、全体としてゴム等の伸縮可能な素材で構成された弾性体よりなり、正方形状に形成された提示面１０ａを備える。提示面１０ａは、複数の小領域２０により構成される。なお、以下の説明では、指の幅方向をＸ軸、指の延長方向をＹ軸として方向を規定して説明するが、説明の便宜上設定した方向であって特に限定されるものではない。また、図５に示す触覚提示手段１０の形状は、正方形の平面状に示してあるが、これについても説明の便宜上採用した形状であって、その形状は限定されない。
提示面１０ａは、各辺に沿って碁盤目状に区画された複数の小領域２０を備える。各小領域２０は、弾性率が可変に構成される。小領域２０は、例えば、流体を封入可能な空間（流体室）として形成され、小領域への加減圧により弾性率が可変に構成される。各小領域２０は、弾性力制御手段３０と個別に接続され、弾性力制御手段３０により流体の加圧や減圧が制御される。例えば、小領域２０の大きさは、提示対象の指先の接触面積よりも小さい大きさが好ましい。
【００２０】
弾性力制御手段３０は、流体の加減圧をすることにより小領域毎の弾性率を制御する。
【００２１】
張力付与手段４０は、触覚提示手段１０に所定の張力を付与する。図５に示すように、張力付与手段４０は、ｘ軸の正方向に張力を付与する＋ｘ張力付与部４０Ａと、ｘ軸の負方向に張力を付与する−ｘ張力付与部４０Ｂと、ｙ軸の正方向に張力を付与する＋ｙ張力付与部４０Ｃと、ｙ軸の負方向に張力を付与する−ｙ張力付与部４０Ｄとを備え、
各張力付与部４０Ａ〜４０Ｄは、触覚提示手段１０を囲むように触覚提示手段１０の周囲に触覚提示手段１０の各辺に対して独立して張力を付与可能に設けられている。
【００２２】
触覚制御手段５０は、弾性力制御手段３０及び張力付与手段４０と接続され、弾性力制御手段３０及び張力付与手段４０の動作を制御することにより、所定の触覚を提示対象に提示するための制御をする。
【００２３】
図６は、触覚提示手段１０の提示動作の一例を示す図である。
図６（ａ）は、各小領域２０の弾性を変化させず、張力付与手段４０を駆動して、触覚提示手段１０の辺ａに＋Ｘ方向，辺ｂに−Ｘ方向，辺ｃに＋Ｙ方向，辺ｄに−Ｙ方向の張力を付与することで触覚を提示する動作を示している。
図６（ｂ）は、ｘ方向＋側の端部及び−側の端部の所定範囲（グレーで示す範囲）の弾性を、他の部位よりも固くした状態で、各張力付与部４０Ａ〜４０Ｄを動作させることにより触覚提示手段１０の辺ａに＋Ｘ方向，辺ｂに−Ｘ方向，辺ｃに＋Ｙ方向，辺ｄに−Ｙ方向の張力を付与することで触覚を提示する動作を示している。
図６（ｃ）は、ｙ方向＋側の端部及び−側の端部の所定範囲（グレーで示す範囲）の弾性を、他の部位よりも固くした状態で、各張力付与部４０Ａ〜４０Ｄを動作させることにより触覚提示手段１０の辺ａに＋Ｘ方向，辺ｂに−Ｘ方向，辺ｃに＋Ｙ方向，辺ｄに−Ｙ方向の張力を付与することで触覚を提示する動作を示している。
図６（ｄ）は、ｘ方向＋側の端部及び−側の端部の所定範囲（グレーで示す範囲）、及びｙ方向＋側の端部及び−側の端部の所定範囲（グレーで示す範囲）の弾性を、中央部分の弾性よりも固くした状態で、各張力付与部４０Ａ〜４０Ｄを動作させることにより触覚提示手段１０の辺ａに＋Ｘ方向，辺ｂに−Ｘ方向，辺ｃに＋Ｙ方向，辺ｄに−Ｙ方向の張力を付与することで触覚を提示する動作を示している。
【００２４】
上述のように、提示面１０ａの弾性（率）を部分的に変化させて、触覚提示手段１０を各方向に張力を付与して変位を生じさせることにより、提示面１０ａに設定された弾性に応じて、提示面１０ａに接触する皮膚の伸張が変化するため、指先に異なる触覚を提示することができる。また、伸縮のタイミングを変えることで、物体の搬送や滑る感覚等も提示することができる。  
なお、触覚の提示動作は、上記４つに限定されず、各辺に付与する張力に勾配を与えたり、しても良い。
【００２５】
図７は、触覚提示手段１０の他の形態を示す図である。図６では、触覚提示手段１０を構成する弾性体自体の弾性を変化させて、触覚を提示するようにしたが、図７に示すように、触覚を提示するようにしても良い。
図７に示す触覚提示手段１０は、弾性体からなる断面正方形の角筒２４を碁盤目状に配置して構成したものである。複数の角筒２４を碁盤目状に配置した状態において各角筒２４の一端側の開口部には、伸縮性を有する弾性体からなるシート部材２６が設けられて閉塞される。シート部材２６の弾性率は、角筒２４の弾性率よりも小さく設定される。また、各角筒２４の他端側は、角筒２４の内部に空気を供給、排出するための図外の管が個別に接続される。この図外の管は、例えば、上述の駆動制御手段１１の給排制御部１１Ａと接続される。
【００２６】
そして、管を介して指先の接触する所定の位置に空気を供給し、シート部材２６を膨張させて張力を付与することにより、シート部材２６に接触する指先が押圧されるとともに、シート部材２６に接触する皮膚が膨張分伸張する触覚を提示することができる。つまり、駆動制御手段１１がシート部材２６の張力を付与する張力付与手段として機能する。
【００２７】
上述の触覚提示手段１０を構成する素材は、例えば、シリコーンゴムやその他の合成ゴム、天然ラテックスゴム等、弾性を有し伸縮自在な素材が好適である。
【００２８】
以上説明したように、縮性を有する弾性体に、人の皮膚を接触させて触覚を提示する提示面を設け、提示面を伸縮させることができれば、弾性体の形状や提示面を伸縮させる張力付与手段の構成は、触覚を提示する部位に応じて適宜変更すれば良い。
【００２９】
即ち、触覚提示手段１０を伸縮性を有する弾性体により構成し、人の皮膚が接触する触覚提示手段１０の表面を伸縮させることにより、触覚提示手段１０の表面の全体が連続的に伸縮することになり、この触覚提示手段１０に接触する人の皮膚も全体的に伸縮することになる。したがって、触覚提示手段１０を伸縮量を変化させたり、伸縮方向を変化させたりしたときに、触覚提示手段１０の伸縮変化が連続的となるため、人に対して滑らかな触覚を提示することができる。
さらに、身体が接触した状態で物体を伸び縮みさせて、皮膚を伸縮させることにより、接触個所によって伸縮のタイミングを変えることで物体の搬送や、滑っているような感覚等の触覚を提示することができる。さらに、上述のようにリハビリ等に用いた場合、通常の他動運動にはない刺激を与えることができ、リハビリ効果を増進させることができる。
【符号の説明】
【００３０】
１  触覚提示装置、１０  触覚提示手段、１０ａ  提示面、１１  駆動制御手段、
４０  張力付与手段。
【図１】
2020009363.tif 000003
【図２】
2020009363.tif 000004
【図３】
2020009363.tif 000005
【図４】
2020009363.tif 000006
【図５】
2020009363.tif 000007
【図６】
2020009363.tif 000008
【図７】
2020009363.tif 000009